(57)【要約】【課題】任意のパリソンの長手方向位置かつ周方向位置のみの肉厚を変化させるパリソンの肉厚調整装置において低コスト化を図る。【解決手段】下端周りに第１傾斜面６を有するコア２と、コア２の外側に配置され、下端周りに第１傾斜面６と対向する第２傾斜面７を有するダイ３と、を備え、第１傾斜面６と第２傾斜面７との間でパリソンの環状傾斜流路８およびパリソン射出口９が形成され、コア２とダイ３とを上下方向に相対移動させることによりパリソンの上下方向の肉厚を変化させるパリソンの肉厚調整装置１において、パリソン射出口９に至る環状傾斜流路８の周方向の一部に、コア２およびダイ３の相対移動方向と平行に延在する直進流路１０を設けた。【選択図】図１
2012091480.tif 000002
【特許請求の範囲】
【請求項１】
下端周りに第１傾斜面を有するコアと、
前記コアの外側に配置され、下端周りに前記第１傾斜面と対向する第２傾斜面を有するダイと、
を備え、前記第１傾斜面と前記第２傾斜面との間でパリソンの環状傾斜流路およびパリソン射出口が形成され、
前記コアと前記ダイとを上下方向に相対移動させることによりパリソンの上下方向の肉厚を変化させるパリソンの肉厚調整装置において、
前記パリソン射出口に至る前記環状傾斜流路の周方向の一部に、前記コアおよびダイの相対移動方向と平行に延在する直進流路を設けたことを特徴とするパリソンの肉厚調整装置。
【発明の詳細な説明】
【技術分野】
【０００１】
本発明は、ブロー成形等で用いるパリソンの肉厚調整装置に関する。
【背景技術】
【０００２】
ブロー成形においてパリソンの上下方向の肉厚を変える方法として、コアとダイとを上下方向に相対移動させてパリソン射出口の開口面積を変化させる方法が広く用いられている。コアとダイの各下部は互いに対向する傾斜面として形成されており、コアとダイとの相対移動により各傾斜面の下端同士の間隔が変わることでパリソン射出口の開口面積が変化する。
【０００３】
図５はパリソンのブロー成形品である自動車用の燃料タンクＴを簡略化して示した図である。燃料タンクＴには図示しない燃料ポンプを挿入支持する円筒部Ｔａが形成されており、この円筒部Ｔａとその周辺部位には燃料ポンプの取り付け剛性が要求される。その取り付け剛性の確保のため、例えば経済性を考慮して燃料タンクＴの他の肉厚は所定の薄肉としたままで円筒部Ｔａ周りだけを厚肉にしたいという要望に対し、コアとダイとを上下方向に相対移動させて肉厚調整すると、円筒部Ｔａ近辺だけでなく燃料タンクＴの周方向全体にわたって厚肉になってしまうという問題がある。
【０００４】
また、円筒部Ｔａの位置に合わせて図４（ａ）に示すようにコア２１を偏心させたり、図４（ｂ）に示すようにダイ２２またはコア２１に局部的な切欠き部２３を形成するなどして予め部分的な厚肉箇所を有するようにパリソンを射出しても、円筒部Ｔａ（図５）周りだけを厚肉にするべくコア２１とダイ２２とを上下方向に相対移動させると、他の薄肉部の肉厚に変化が生じてしまう。
【０００５】
これに対し、特許文献１には、スライスリップをパリソン射出口の所定箇所に突出自在に設けることにより、任意のパリソンの長手方向位置かつ周方向位置のみの肉厚を変化させる技術が記載されている。
【先行技術文献】
【特許文献】
【０００６】
【特許文献１】特開昭５７−６４５２４号公報
【発明の概要】
【発明が解決しようとする課題】
【０００７】
しかしながら、特許文献１の技術によれば、スライスリップを可動させるための可動機構、シリンダ等の駆動源、この駆動源を制御する制御手段等が必要になり、肉厚調整装置として高価になりやすいという問題がある。
【０００８】
本発明はこのような課題を解決するために創作されたものであり、任意のパリソンの長手方向位置かつ周方向位置のみの肉厚を変化させるパリソンの肉厚調整装置としてその低コスト化を図ることを目的としている。
【課題を解決するための手段】
【０００９】
本発明は、前記課題を解決するため、下端周りに第１傾斜面を有するコアと、前記コアの外側に配置され、下端周りに前記第１傾斜面と対向する第２傾斜面を有するダイと、を備え、前記第１傾斜面と前記第２傾斜面との間でパリソンの環状傾斜流路およびパリソン射出口が形成され、前記コアと前記ダイとを上下方向に相対移動させることによりパリソンの上下方向の肉厚を変化させるパリソンの肉厚調整装置において、前記パリソン射出口に至る前記環状傾斜流路の周方向の一部に、前記コアおよびダイの相対移動方向と平行に延在する直進流路を設けたことを特徴とする。
【００１０】
このパリソンの肉厚調整装置によれば、パリソン射出口に至る環状傾斜流路の周方向の一部に、コアおよびダイの相対移動方向と平行に延在する直進流路を設けるのみで、任意のパリソンの長手方向位置かつ周方向位置のみの肉厚を変化させることができ、構造が極めて簡単で、安価に製作できる。
【発明の効果】
【００１１】
本発明によれば、任意のパリソンの長手方向位置かつ周方向位置のみの肉厚を変化させるパリソンの肉厚調整装置として低コスト化を図れる。
【図面の簡単な説明】
【００１２】
【図１】本発明に係るパリソンの肉厚調整装置の説明図であり、（ａ）は側断面図、（ｂ）は（ａ）におけるＡ−Ａ矢視図である。
【図２】本発明に係るパリソンの肉厚調整装置の作用を示す側断面図である。
【図３】コアおよびダイの形状例を示す平面図である。
【図４】従来説明図であり、（ａ）はコアを偏心させた場合、（ｂ）はダイに切欠き部を設けた場合を示す。
【図５】自動車用の燃料タンクの外観図である。
【発明を実施するための形態】
【００１３】
図１において、本発明に係るパリソンの肉厚調整装置１は、下端周りに第１傾斜面６を有するコア２と、コア２の外側に配置され、下端周りに前記第１傾斜面６と対向する第２傾斜面７を有するダイ３と、を備える。第１傾斜面６と第２傾斜面７との間でパリソンの環状傾斜流路８および環状のパリソン射出口９が形成される。コア２とダイ３とは上下方向に相対移動可能に構成され、本実施形態では固定されたダイ３に対してコア２が上下移動する。
【００１４】
コア２の平面形状は、例えば図１（ｂ）に示すように長手の直線部を有する略楕円形状となっており、パリソン射出口９はトラック形状を呈している。成形品が図５に示した扁平形状の自動車用の燃料タンクＴである場合、パリソン射出口９をトラック形状に形成しておけば、パリソンがパリソン射出口９から扁平状に射出されることになり、ブロー金型内でパリソンが燃料タンク形状に変形する際の変形分布を略一様に抑え、肉厚制御を安定させることができる。
【００１５】
パリソン射出口９に至る環状傾斜流路８の周方向の一部には、コア２およびダイ３の相対移動方向と平行に延在する直進流路１０が設けられる。コア２の下端周りは図示しないボルトにより着脱自在なコアリップ４から構成され、ダイ３の下端周りの内側も図示しないボルトにより着脱自在なダイリップ５から構成されており、コアリップ４の外周面に形成された第１鉛直面１１とダイリップ５の内周面に形成された第２鉛直面１２とに挟まれた流路が前記直進流路１０となる。
【００１６】
以上の構成からなるパリソンの肉厚調整装置１によれば、コア２を上下移動させると、直進流路１０が形成されていない周方向範囲においては、第１傾斜面６の下端と第２傾斜面７の下端との間隔、すなわち図２に示すようにパリソン射出口９の間隔Ｌ１が変化することにより流下するパリソンの肉厚が変化する。一方、直進流路１０が形成されている周方向範囲においては、第１鉛直面１１と第２鉛直面１２との間隔、すなわち図２に示すように直進流路１０の間隔Ｌ２は不変であるため肉厚は変化しない。
【００１７】
本発明のパリソンの肉厚調整装置は、パリソン射出口９に至る環状傾斜流路８の周方向の一部に、コア２およびダイ３の相対移動方向と平行に延在する直進流路１０を設けるのみで、任意のパリソンの長手方向位置かつ周方向位置のみの肉厚を変化させることができ、特許文献１に記載のパリソンの肉厚調整装置に比して構造が極めて簡単で、安価に製作できる。
【００１８】
本発明では、コア２およびダイ３の平面形状は特に限定されるものではない。例えばコア２の平面形状は、図３（ａ）に示す直線部を有する略楕円形状のものに限定されず、図３（ｂ）に示す真円形状や図３（ｃ）に示す直線部を有さない楕円形状等であってもよい。これらの形状ではいずれも適宜な周方向範囲に直進流路１０を形成可能である。
また、着脱自在な小片のコアリップ４、ダイリップ５に直進流路１０を形成したので、直進流路１０の間隔Ｌ２の異なるコアリップ４、ダイリップ５を用意しておけば、これらを交換するだけでパリソンの肉厚仕様に容易に対応できる。
【００１９】
以上、本発明の好適な実施形態について説明した。説明した実施形態では環状傾斜流路８は下方に向かうにしたがい縮径しているが、逆に下方に向かうにしたがい拡径した態様であってもよい。その他、本発明は図面に記載したものに限られず、その趣旨を逸脱しない範囲で種々の設計変更が可能である。
【符号の説明】
【００２０】
１      パリソンの肉厚調整装置
２      コア
３      ダイ
６      第１傾斜面
７      第２傾斜面
８      環状傾斜流路
９      パリソン射出口
１０      直進流路
Ｔ      燃料タンク
【図１】
2012091480.tif 000003
【図２】
2012091480.tif 000004
【図３】
2012091480.tif 000005
【図４】
2012091480.tif 000006
【図５】
2012091480.tif 000007